(57)【要約】【課題】鞄等から持ち物を取り出さずに、短時間に忘れ物の有無を確認する物品検知方法、該物品検知方法を利用した物品検知システム、及び該物品検知システムに用いる物品検知装置を提供する。【解決手段】所定の複数の持ち物に、夫々を特定する特定情報を記憶した記憶部材２ａを備えたカード２を割り当てておき、各カード２の特定情報を予め記憶しておく。物品検知装置３が、外出時にユーザが所持している持ち物から、夫々の特定情報を検出し、予め記憶している特定情報から、検出していない特定情報を抽出し、抽出した特定情報が特定する持ち物を忘れ物として検知する。また、忘れ物を検知した場合、所定の通信装置へ電子メールを送信することにより、ユーザに忘れ物を通知する。【選択図】　　　　図２
2004078319.tif 000002
【特許請求の範囲】
【請求項１】
夫々を特定する特定情報を有する所定の複数物品に含まれる物品を、該物品の特定情報に基づき認識し、認識していない物品を不足物品として検知する物品検知方法であって、
前記所定の複数物品夫々に、前記特定情報を記憶させた記憶部材を予め割り当て、該記憶部材が記憶する特定情報を記憶しておき、前記複数物品に含まれる物品から、該物品に割り当てられた記憶部材が記憶する特定情報を検出し、予め記憶している特定情報から、検出していない特定情報を抽出し、抽出された特定情報が特定する物品を不足物品として検知し、該不足物品を検知したことを報知することを特徴とする物品検知方法。
【請求項２】
夫々を特定する特定情報を有する所定の複数物品に含まれる物品を、該物品の特定情報に基づき認識し、認識していない物品を不足物品として検知する物品検知システムであって、
前記所定の複数物品夫々に割り当てられ、前記特定情報を記憶する記憶部材と、
該記憶部材が記憶する特定情報を記憶する記憶手段、前記複数物品に含まれる物品から、該物品に割り当てられた記憶部材が記憶する特定情報を検出する検出手段、前記記憶手段が予め記憶している特定情報から、前記検出手段が検出していない特定情報を抽出する抽出手段、該抽出手段が抽出した特定情報が特定する物品を不足物品として検知する検知手段、及び該検知手段が不足物品を検知したことを報知する報知手段を有する物品検知装置とを備えることを特徴とする物品検知システム。
【請求項３】
夫々を特定する特定情報を有する所定の複数物品に含まれる物品を、該物品の特定情報に基づき認識し、認識していない物品を不足物品として検知する物品検知装置であって、
前記所定の複数物品夫々には、前記特定情報を記憶する記憶部材が予め割り当てられており、
該記憶部材が記憶する特定情報を記憶する記憶手段と、前記複数物品に含まれる物品から、該物品に割り当てられた記憶部材が記憶する特定情報を検出する検出手段と、前記記憶手段が予め記憶している特定情報から、前記検出手段が検出していない特定情報を抽出する抽出手段と、該抽出手段が抽出した特定情報が特定する物品を不足物品として検知する検知手段と、該検知手段が不足物品を検知したことを報知する報知手段とを備えることを特徴とする物品検知装置。
【請求項４】
前記報知手段は、所定の通信装置へ通知すべくなしてあることを特徴とする請求項３に記載の物品検知装置。
【発明の詳細な説明】
【０００１】
【発明の属する技術分野】
本発明は、夫々を特定する特定情報を有する所定の複数物品に含まれる物品を、該物品の特定情報に基づき認識し、認識していない物品を不足物品として検知する物品検知方法、該物品検知方法を利用した物品検知システム、及び該物品検知システムに用いる物品検知装置に関するものである。
【０００２】
【従来の技術】
出勤及び登校等の外出時において、各自が、自身の持ち物について忘れ物がないように細心の注意を払う必要がある。
例えば、前日等に忘れてはいけない持ち物を列挙した持ち物リスト等を作成しておき、外出時において、この持ち物リストを参照して忘れ物がないか否かを確認することにより、忘れ物を防止することができる。また、予め忘れてはいけない持ち物を家族等の同居人に知らせておき、当日の外出時に前記持ち物を持っているか否かを同居人と共に確認することにより忘れ物を防止することができる。
【０００３】
【発明が解決しようとする課題】
しかし、独り暮しをする者においては、同居人がいないため、上述した確認方法により忘れ物を防止する場合、自身において確実に持ち物の確認を行う必要がある。また、既に複数の持ち物を鞄等に入れてしまっている場合、鞄から各持ち物を一旦取り出さなければならず、忘れ物がないか否かを確認するまでにある程度の時間が必要となり、確認作業が煩雑であるという問題がある。
【０００４】
本発明は以上のような事情に鑑みてなされたものであり、所定の複数物品夫々に割り当てられた記憶部材が記憶する特定情報を記憶しておき、前記複数物品に含まれる物品から、該物品に割り当てられた記憶部材が記憶する特定情報を検出し、予め記憶している特定情報から、検出していない特定情報を抽出し、抽出された特定情報が特定する物品を不足物品として検知し、該不足物品を検知したことを報知する構成を備えることにより、ユーザは、自身の持ち物を再度確認する手間が省け、また、既に鞄等に入れてしまった物品を鞄から取り出さずに、例えば靴等の履物を履いている時間のような短時間に、確実に忘れ物の有無を確認する物品検知方法、該物品検知方法を利用した物品検知システム、及び該物品検知システムに用いる物品検知装置を提供することを目的とする。
【０００５】
本発明の他の目的は、忘れ物（不足物品）を検知した際に、所定の通信装置へ忘れ物の存在を通知する構成を備えることにより、ユーザに確実に忘れ物の存在を通知する物品検知装置を提供することにある。
【０００６】
【課題を解決するための手段】
第１発明に係る物品検知方法は、夫々を特定する特定情報を有する所定の複数物品に含まれる物品を、該物品の特定情報に基づき認識し、認識していない物品を不足物品として検知する物品検知方法であって、前記所定の複数物品夫々に、前記特定情報を記憶させた記憶部材を予め割り当て、該記憶部材が記憶する特定情報を記憶しておき、前記複数物品に含まれる物品から、該物品に割り当てられた記憶部材が記憶する特定情報を検出し、予め記憶している特定情報から、検出していない特定情報を抽出し、抽出された特定情報が特定する物品を不足物品として検知し、該不足物品を検知したことを報知することを特徴とする。
【０００７】
第２発明に係る物品検知システムは、夫々を特定する特定情報を有する所定の複数物品に含まれる物品を、該物品の特定情報に基づき認識し、認識していない物品を不足物品として検知する物品検知システムであって、前記所定の複数物品夫々に割り当てられ、前記特定情報を記憶する記憶部材と、該記憶部材が記憶する特定情報を記憶する記憶手段、前記複数物品に含まれる物品から、該物品に割り当てられた記憶部材が記憶する特定情報を検出する検出手段、前記記憶手段が予め記憶している特定情報から、前記検出手段が検出していない特定情報を抽出する抽出手段、該抽出手段が抽出した特定情報が特定する物品を不足物品として検知する検知手段、及び該検知手段が不足物品を検知したことを報知する報知手段を有する物品検知装置とを備えることを特徴とする。
【０００８】
第３発明に係る物品検知装置は、夫々を特定する特定情報を有する所定の複数物品に含まれる物品を、該物品の特定情報に基づき認識し、認識していない物品を不足物品として検知する物品検知装置であって、前記所定の複数物品夫々には、前記特定情報を記憶する記憶部材が予め割り当てられており、該記憶部材が記憶する特定情報を記憶する記憶手段と、前記複数物品に含まれる物品から、該物品に割り当てられた記憶部材が記憶する特定情報を検出する検出手段と、前記記憶手段が予め記憶している特定情報から、前記検出手段が検出していない特定情報を抽出する抽出手段と、該抽出手段が抽出した特定情報が特定する物品を不足物品として検知する検知手段と、該検知手段が不足物品を検知したことを報知する報知手段とを備えることを特徴とする。
【０００９】
第１，第２及び第３発明による場合は、所定の複数物品に、夫々を特定する特定情報を記憶させた記憶部材を予め割り当てておき、物品検知装置において、前記記憶部材が夫々記憶する特定情報を予め全て記憶しておく。また、前記複数物品に含まれる物品から、該物品に割り当てられた記憶部材が記憶する特定情報を検出し、予め記憶している特定情報から、検出していない特定情報を抽出し、抽出された特定情報が特定する物品を不足物品として検知し、該不足物品を検知したことを報知する。
従って例えば、外出時においてユーザが所持している各物品から、該物品に割り当てられた記憶部材が記憶する特定情報を検出し、検出されなかった特定情報が特定する物品を忘れ物（不足物品）として検知して報知することができ、ユーザは、自身の持ち物を再度確認する手間が省け、また、既に鞄等に入れてしまった物品を鞄から取り出さずに、例えば靴等の履物を履いている時間のような短時間に、確実に忘れ物の有無を確認することができる。
【００１０】
第４発明に係る物品検知装置は、第３発明に係る物品検知装置において、前記報知手段は、所定の通信装置へ通知すべくなしてあることを特徴とする。
【００１１】
第４発明による場合は、物品検知装置が、忘れ物（不足物品）を検知した際に、所定の通信装置へ忘れ物の存在を通知する構成を備えることにより、ユーザに確実に忘れ物の存在を通知することができ、ユーザは該忘れ物に対応した行動をとることができる。
【００１２】
【発明の実施の形態】
以下に、本発明に係る物品検知システムをその実施の形態を示す図面に基づいて詳述する。
（実施の形態１）
図１は本発明に係る物品検知装置の構成を示す模式図、図２は本発明に係る物品検知システムの構成を示すブロック図である。図２において１は本発明に係る物品検知システムを示しており、この物品検知システム１は、夫々自身を特定する特定情報を記憶しているカード２と、このカード２から特定情報を検出することが可能な物品検知装置３とにより構成されている。
このような物品検知システム１は、図１に示すように、物品検知装置３を例えば玄関等に備えることにより、玄関において用いることができる。
【００１３】
カード２は、自身において記憶する特定情報を非接触にて検出される非接触型のカードであり、夫々財布，カードケース，手帳，常備薬を入れた薬袋，書類を入れた書類袋等の所定の複数物品夫々に対応させて１つ装入させておく。これにより、各カード２における特定情報が、夫々財布，カードケース，薬袋又は書類袋等の各物品を特定することになる。
物品検知装置３は、上述のようなカード２に対して特定情報の検出を行う検出部３９を備えており、本実施の形態においては、この検出部３９は、物品検知装置３の本体部分とは別に構成され、玄関ドアの上方に取り付けられ、本体部分とはケーブル３９ａを介して接続されている。尚、カード２と物品検知装置３とは光結合されており、光学的な情報の送受を可能としている。
【００１４】
カード２は、ＭＰＵ（Ｍｉｃｒｏ　Ｐｒｏｃｅｓｓｏｒ　Ｕｎｉｔ）等により構成される制御部２０と、自身を特定する特定情報を予め記憶するＲＯＭ２１と、制御部２０の動作時に発生するデータを一時的に記憶するＲＡＭ２２と、物品検知装置３へ特定情報を送信するためのインタフェース２４とを備えたＩＣ（Ｉｎｔｅｇｒａｔｅｄ　Ｃｉｒｃｕｉｔ）チップ等からなる記憶部材２ａが埋め込まれている。
また表面には、前記特定情報をコード化してバーコードとして表記したバーコード部２３を有しており、夫々バーコードと特定情報とは対応している。
【００１５】
物品検知装置３は、制御部３０，ＲＯＭ３１，ＲＡＭ３２，表示部３３，操作部３４，不足物品検知ランプ３５，特定情報記録部３６，バーコード読取部３７，外部と通信を行うための通信インタフェース３８等を備えている。また、物品検知装置３は、外部の検出部３９と接続するための端子を有しており、該端子に接続されたケーブル３９ａを介して検出部３９が接続されている。
制御部３０は、具体的にはＭＰＵで構成され、バスを介して物品検知装置３の上述したようなハードウェア各部及びケーブル３９ａを介して検出部３９と接続されており、それらを制御すると共に、ＲＯＭ３１に格納されたコンピュータプログラムを順次実行する。
【００１６】
ＲＯＭ３１は、本発明の物品検知装置３の動作に必要な種々のコンピュータプログラム，及び電子メールを送信するための電子メール送信処理プログラムを予め格納している。
ＲＡＭ３２は、ＳＲＡＭ又はフラッシュメモリ等で構成され、制御部３０によるコンピュータプログラムの実行時に発生する一時的なデータ，及び予め設定されている、忘れ物（不足物品）の存在を通知する携帯電話機等の通信装置が有する電子メールアドレスを記憶する。尚、ＲＡＭ３２にフラッシュメモリを使用した場合には、停電，ファクシミリ装置の移動等のために電源が遮断された場合であっても記憶内容が失われることはない。
【００１７】
表示部３３は、液晶表示装置（ＬＣＤ：Ｌｉｑｕｉｄ　Ｃｒｙｓｔａｌ　Ｄｉｓｐｌａｙ）等の表示装置であり、物品検知装置３の動作状態を表示し、また忘れ物として検知された物品名等を表示する。
操作部３４は、物品検知装置３を操作するために必要な文字キー，テンキー，物品検知装置３が検知すべき物品を登録するための登録キー及び確定キー，物品検知装置３に物品の検知処理を実行させるための実行キー，及び各種処理を終了するための終了キー等を備えている。尚、表示部３３をタッチパネル方式とすることにより、操作部３４の各種のキーの一部又は全部を代用することも可能である。
【００１８】
バーコード読取部３７は、各カード２に備えるバーコード部２３を読み取り、夫々読み取ったバーコードが示す特定情報を特定情報記憶部（記憶手段）３６に記憶させる。
検出部３９は、カード２から、該カード２に埋め込まれた記憶部材２ａが記憶する特定情報を検出する検出手段であり、検出した特定情報を、ケーブル３９ａを介して制御部３０に与える。
不足物品検知ランプ３５は、忘れ物の検知を報知するためのＬＥＤ（Ｌｉｇｈｔ　Ｅｍｉｔｔｉｎｇ　Ｄｉｏｄｅ）からなるランプであり、この不足物品検知ランプ３５の点灯により、ユーザは、忘れ物の有無を瞬時に判断することができる。
【００１９】
上述した構成の物品検知システム１において、ユーザは、忘れ物の有無を判断するために、物品検知装置３に対して、予め忘れてはいけない持ち物を登録する必要があり、この持ち物の登録に、各カード２に備えるバーコード部２３を用いる。このバーコード部２３は、各カード２の特定情報をコード化したバーコードが表記されており、物品検知装置３において、このバーコード部２３をバーコード読取部３７にて読み取り、読み取ったバーコードが示す特定情報を特定情報記憶部３６に記憶しておく。
【００２０】
また、ユーザが外出時に所持している持ち物から検出部３９が検出した特定情報に基づき、特定情報記憶部３６に予め記憶している特定情報から、検出部３９が検出していない特定情報を抽出する。このように抽出された特定情報が特定する物品が忘れ物であり、このように忘れ物を検知した物品検知装置３は、不足物品検知ランプ３５を点灯することにより、ユーザに忘れ物の存在を報知する。
同時に、物品検知装置３は、忘れ物の存在を検知した場合、忘れ物を検知した旨を記載した電子メールを作成し、予め登録されている所定の通信装置が有する電子メールアドレス宛に、該電子メールを送信する。これにより、所定の通信装置が受信した電子メールを確認することにより、ユーザは、自身が忘れ物をしていること及び何が忘れ物であるかを認識することができる。
【００２１】
以下に、上述した構成の物品検知システム１において、物品検知装置３への持ち物の登録処理について説明する。図３は本発明に係る物品検知装置３への持ち物の登録処理手順を示すフローチャートである。
ユーザは、忘れてはいけない持ち物を登録する場合、物品検知装置３の操作部３４に備える登録キーをオンする。物品検知装置３において、ユーザにより登録キーがオンされた場合（Ｓ１）、制御部３０は、持ち物の登録画面を表示部３３に表示させる（Ｓ２）。
【００２２】
図４は登録画面の一例を示す図であり、ユーザは、この登録画面の指示に従って登録すべき持ち物を示す物品名を、操作部３４の各種キーを用いて入力して確定キーをオンする。
制御部３０は、ユーザにより入力された物品名を受け付け（Ｓ３）、確定キーがオンされた場合（Ｓ４）、受け付けた物品名を、表示部３３に表示してある登録画面に表示する（Ｓ５）。また、制御部３０は、表示した物品名に、特定情報を対応させるために、対応するカード２のバーコードの読み取りを要求する（Ｓ６）。
【００２３】
ユーザは、この登録画面の指示に従い、対応するカード２のバーコード部２３を、物品検知装置３のバーコード読取部３７に近づける。これにより物品検知装置３は、バーコード読取部３７により対応するカード２のバーコードを読み取り（Ｓ７）、読み取ったバーコードが示す、該カード２の特定情報を、ステップＳ５において表示した物品名と対応付けて特定情報記憶部３６に記憶し（Ｓ８）、表示部３３に表示してある登録画面に登録完了を表示する（Ｓ９）。
ユーザは、続けて異なる持ち物の登録を行う場合、操作部３４を操作することにより登録すべき持ち物を示す物品名及び特定情報を登録し、また、持ち物の登録を終了する場合、終了キーをオンし（Ｓ１０）、終了キーがオンされた場合、制御部３０は登録処理を終了する。
【００２４】
上述したように、カード２に備えたバーコード部２３に基づき、持ち物の登録処理を行うことにより、より容易に持ち物の登録を行うことができる。また、予め忘れてはいけない持ち物を、該持ち物を示す物品名と対応させて登録しておくことにより、忘れ物の検知時において、忘れ物が何であるかを瞬時に確認することができる。
また、登録画面における持ち物登録処理において、登録した各物品名毎に、忘れ物の確認をすべきか否かの設定ができる構成としてもよく、また忘れ物の確認をすべき日時等も設定することができる構成を有してもよい。
【００２５】
以下に、上述した物品検知システム１における忘れ物の検知処理について説明する。図５は本発明に係る物品検知システム１における忘れ物の検知処理手順を示すフローチャートである。
ユーザは、外出時において、玄関で靴を履いている間等に忘れ物がないことを確認したい場合、物品検知装置３の操作部３４に備える実行キーをオンする。物品検知装置３において、ユーザにより実行キーがオンされた場合（Ｓ１１）、制御部３０は、検出部３９によりユーザが所持している持ち物夫々に装入されているカード２から夫々特定情報を検出し、ＲＡＭ３２に記憶する（Ｓ１２）。
【００２６】
次に制御部３０は、特定情報記憶部３６に予め記憶してある特定情報をＲＡＭ３２に読み出し、この特定情報と、ステップＳ１２において検出部３９により検出された特定情報とを比較して、予め記憶してある特定情報から、検出部３９が検出していない特定情報を抽出する（Ｓ１３）。
この検出部３９が検出していない特定情報が特定する持ち物は、この時点でユーザが所持していない持ち物であり、この持ち物を忘れ物とすることができる。従って、制御部３０は、検出部３９が検出していない特定情報があるか否かに基づき、忘れ物の有無を判断しており（Ｓ１４）、忘れ物があると判断した場合、不足物品検知ランプ３５を点灯させる（Ｓ１５）。
【００２７】
また制御部３０は、ステップＳ１３において抽出した特定情報に基づき、該特定情報が特定する物品名を特定情報記憶部３６から読み出して、表示部３３に表示する（Ｓ１６）。同時に、読み出した物品名を記載し、該物品名が示す持ち物が忘れ物であることを表記した電子メールを作成し、予めユーザにより登録された所定の通信装置が有する電子メールアドレス宛に、該電子メールを送信する（Ｓ１７）。
【００２８】
上述したように外出時において靴等の履物を履いている間に、非接触でカード２の特定情報を読み取り、読み取った特定情報に基づき忘れ物がないか否かを判断することにより、短時間に、また、既に鞄等に入れてしまった物品を鞄から取り出さずに、忘れ物の有無を確認することができる。
【００２９】
（実施の形態２）
以下に、実施の形態２における物品検知システム１について説明する。尚、物品検知装置３については上述した実施の形態１と同様の構造であるため、説明を省略する。
図６は実施の形態２に係るカードの構成を示すブロック図であり、図において４は本実施の形態に係るカードを示している。このカード４は、自身において記憶する特定情報を非接触にて検出される非接触型のカードであり、ＭＰＵ等により構成される制御部４１と、前記特定情報を予め記憶しているＲＯＭ４２と、制御部４１の動作時に発生するデータを一時的に記憶するＲＡＭ４３と、物品検知装置３へ特定情報を送信するためのインタフェース４４とを備えるＩＣチップからなる記憶部材４０を、カード本体４ａに着脱可能に備えることにより構成されている。
また、カード本体４ａは表面に、前記特定情報をコード化してバーコードとして表記したバーコード部４５を有しており、夫々バーコードと特定情報とは対応している。
【００３０】
上述した構成のカード４においては、カード本体４ａの表面に備えるバーコード部４５を用いて、実施の形態１で示した登録処理と同様に、物品検知装置３に対して持ち物の登録を行った後、記憶部材４０を、図中矢符Ａで示す方向に引き抜くことによりカード本体４ａから取り外し、対応する持ち物に装入等させることにより、各持ち物に特定情報を割り当てることができる。
このように記憶部材４０をカード本体４ａから取り外すことにより、時計，眼鏡及び携帯電話機等のように、カード４を装入することが難しい持ち物に対しても、特定情報を割り当てることができ、特定情報を付加する際の負荷を軽減することができる。
【００３１】
また、上述したような記憶部材４０に、接着剤等による接着部を設けてもよく、これにより、各持ち物に容易に記憶部材４０を貼付することができる。
更に、記憶部材４０に取付部を設け、例えば携帯電話機に取り付けられるストラップの代わりに、この記憶部材４０を取り付ける構成とすることもできる。
【００３２】
上述した物品検知装置３は、ユーザによる実行キーの押下により、忘れ物の確認処理を実行する構成をなしているが、玄関ドアの開閉を認識する構成を更に備え、玄関ドアの開閉に基づき、外出するユーザが所持する持ち物に対して忘れ物の確認処理を実行する構成としてもよい。また、検出部３９は玄関ドアの上方に取り付けられ、ケーブル３９ａを介して本体部分と接続される構成をなしているが、本体部分と一体的な構成を有してもよい。
【００３３】
上述した構成の物品検知システム１において、カード２，４と物品検知装置３との間で、光結合を利用して非接触状態で情報の送受を行う構成を備えているが、電磁結合，磁気結合，音波結合等を利用することも可能である。また、カード２，４には、自身を特定する特定情報を記憶した記憶部材２ａ，４０と、前記特定情報をコード化したバーコード部２３，４５とを夫々備えているが、物品検知装置３に対する持ち物の登録処理を、記憶部材２ａ，４０からの特定情報の読み出しにより行う構成としてもよく、この場合、カード２，４にバーコード部２３，４５を備える必要がない。
更に、上述した物品検知システム１においては、複数人のユーザが利用でき、各ユーザ毎に持ち物を登録できる構成としてもよい。
【００３４】
【発明の効果】
第１，第２及び第３発明による場合は、所定の複数物品に、夫々を特定する特定情報を記憶させた記憶部材を予め割り当てておき、物品検知装置において、前記記憶部材が夫々記憶する特定情報を予め全て記憶しておく。また、前記複数物品に含まれる物品から、該物品に割り当てられた記憶部材が記憶する特定情報を検出し、予め記憶している特定情報から、検出していない特定情報を抽出し、抽出された特定情報が特定する物品を不足物品として検知し、該不足物品を検知したことを報知する。
従って例えば、外出時においてユーザが所持している各物品から、該物品に割り当てられた記憶部材が記憶する特定情報を検出し、検出されなかった特定情報が特定する物品を忘れ物（不足物品）として検知して報知することができ、ユーザは、自身の持ち物を再度確認する手間が省け、また、既に鞄等に入れてしまった物品を鞄から取り出さずに、例えば靴等の履物を履いている時間のような短時間に、確実に忘れ物の有無を確認することができる。
【００３５】
第４発明による場合は、物品検知装置が、忘れ物（不足物品）を検知した際に、所定の通信装置へ忘れ物の存在を通知する構成を備えることにより、ユーザに確実に忘れ物の存在を通知することができ、ユーザは該忘れ物に対応した行動をとることができる。
【図面の簡単な説明】
【図１】本発明に係る物品検知装置の構成を示す模式図である。
【図２】本発明に係る物品検知システムの構成を示すブロック図である。
【図３】本発明に係る物品検知装置への持ち物の登録処理手順を示すフローチャートである。
【図４】登録画面の一例を示す図である。
【図５】本発明に係る物品検知システムにおける忘れ物の検知処理手順を示すフローチャートである。
【図６】実施の形態２に係るカードの構成を示すブロック図である。
【符号の説明】
１　物品検知システム
２，４　カード
３　物品検知装置
３５　不足物品検知ランプ
３９　検出部
【図１】
2004078319.tif 000003
【図２】
2004078319.tif 000004
【図３】
2004078319.tif 000005
【図４】
2004078319.tif 000006
【図５】
2004078319.tif 000007
【図６】
2004078319.tif 000008